(57)【要約】【課題】【解決手段】成形品にプラッシュの表面を設ける方法が提供される。この方法は、フロッキングされた転写体（２）を準備することと、金型（４）の所定位置に転写体（２）を固定することと、転写体（２）が物品の表面に埋込まれるように物品を成形することと、を備えている。この物品は射出成形されることが可能である。
2005503936.tif 000002
【特許請求の範囲】
【請求項１】
成形（モールド）された物品を装飾する方法であって、
フロッキング（フロック加工）層を有する転写体と、そのフロッキングの一方の面の上にある離型シートと、そのフロッキングの反対の面の上にある結合接着剤の層とを準備すること、
その離型シートを、物品を製造する金型の内壁に固定すること、
樹脂が結合接着剤の層に接触するように部品を成形すること、
金型を冷却すること、
その部品を排出すること、及び
転写体から離型シートを取除くこと、
を具備している方法。
【請求項２】
その離型シートが接着剤によって金型基部（モールドベース）に取付けられている、請求項１の方法。
【請求項３】
その離型シートが真空によってその金型に取付けられている、請求項１の方法。
【請求項４】
樹脂がフロッキングの細かい裂け目の間隙に侵入することを防止するステップを具備している、請求項１の方法。
【請求項５】
その防止するステップが転写体の周縁のまわりに堰体（ダム）を形成することを具備している、請求項４の方法。
【請求項６】
その堰体が金型内に障壁（バリヤ）を位置させることによって形成され、転写体がその障壁内に位置決めされる、請求項５の方法。
【請求項７】
堰体が転写体の一部分であり、この堰体は転写体の周縁のまわりに結合接着剤の積上げ部分を具備している、請求項５の方法。
【請求項８】
成形物品を装飾する方法であって、
離型シートを離型接着剤でコーティングすること、
前記フロックの第１の端部を離型接着剤に埋め込むことによってそのフロックに対してフロッキングをし、その結果、配置されたフロックの少なくとも１つのパターンで、前記離型シートに接着された所定のデザインを形成すること、
前記フロックの周縁のまわりに障壁を形成すること、
金型の内壁に前記離型シートを取付けること、及び
前記接着結合剤の上に物品を成形（モールド）し、それにより前記フロックを前記物品に恒久的に結合すること、
を具備している方法。
【請求項９】
前記障壁を形成するステップが、前記フロックに結合接着剤を塗布することを備え、前記結合接着剤は前記フロックの周縁のまわりに積上げられている、請求項８の方法。
【請求項１０】
前記障壁を形成する前記ステップが金型の表面上に堰体を設けることを具備しており、転写体はこの堰体内で金型に取付けられている、請求項８の方法。
【請求項１１】
物品を成形するステップが金型に溶融樹脂を注入することを具備している、請求項８の方法。
【請求項１２】
樹脂が最初に第１の圧力で注入され、その第１の圧力は転写体が金型壁面からずれることを防止するに充分なだけで低く、その後、第２の、より高い圧力で樹脂の第２の注入を行う、請求項１１の方法。
【請求項１３】
注入される樹脂が離型接着剤より低い融点を有する、請求項１１の方法。
【発明の詳細な説明】
【０００１】
【発明の属する技術分野】
本発明は、フロッキングされた表面を有する成形品、より詳しくは、成形製品にフロック転写体（トランスファー）を取付ける新たな改良された方法、に関する。
【０００２】
【従来の技術】
美観上の目的または実用上の目的のために成形樹脂部品上に装飾したい場合がしばしばある。射出成形品には、しばしば、インク、スクリーン印刷、パッド印刷、直接静電（ダイレクトエレクトロスタティック）フロッキング（フロック加工）、およびホットスタンピング（ホットスタンプ加工）を用いて装飾が施される。これらの方法は、通常、成形後の操作であり、追加の処理や費用や時間を必要とする。さらに、接着の品質が低かったりコーティングが不均一であったりすることによって、得られる製品の品質の低い場合がしばしばある。
【０００３】
【発明が解決しようとする課題】
最近、部品の成形中に装飾体を取付けることを取入れて余分なステップを削減する成形中装飾法が開発されたが、しかしこの技術は、樹脂を金型に注入するための熱および力の下ではインクや装飾体が安定に維持できないことに関する問題、挿入された装飾体を所定位置に保持することが困難であることに関する問題、射出成形中に装飾面がにじんだり潰れたりその他の乱れを生じることに関する問題、などいくつかの問題がある。
【０００４】
【発明の概要】
本発明は、インクで印刷されたフィルム挿入体ではなくむしろフロック熱転写型媒体を用いて、部品を成形する際に高温の樹脂と共に成形され、プラッシュ（ｐｌｕｓｈ）が均一にコーティングされ、３次元的な手触りを有する装飾体を提供するものである。フロック転写媒体を用いて、プラッシュの手触りを有する装飾体が成形部品の表面に恒久的に取付けられる。これを行うために、フロック熱転写製造で通常使用されているホットメルト接着剤をなくすことができるので、それが溶融して金型内で装飾体のまわりににじみ出ることがなくなる。さらに、フロック転写体を高分子成形品に直接に射出成形する際に、通常のホットメルト接着剤の代わりに皮膜固着材などの他の接着剤を用いて、にじみ出しを防止したり成形樹脂との接着および／または化学的相容性を向上させたりしても良い。
【０００５】
その金型は、好ましくは、装飾体を所定位置に整列させて保持することを補助するための窪みまたは位置決めピンまたはその他の機械部品を備えている。さらに、フロック熱転写体の周縁のまわりの金型に設けた「堰体」を設けて、成形樹脂がフロック転写体の空隙の繊維間にしみ込むことを防止しても良い。
【０００６】
このような装飾体を射出成形に取入れることをさらに適切に行うためには、たとえば、意図的により低融点の樹脂を選択したり、または、装飾体を所定位置に保持するための第１の比較的「おだやかな」注入に引続いて樹脂を全圧力で正規注入する、という２つの別個の段階で樹脂を注入したりすることに成形工程を変更しても良い。
【０００７】
【発明を実施するための最良の形態と効果】
図１には、樹脂物品６と共成形されるべく金型４内の所定位置にある本発明の転写体（トランスファー）２を示してある。図１では、転写体２は物品６の上に示されている。転写体２は、通常はシリコーンワックスである。在来のフロック転写体離型接着剤１０を所望のパターンの反対側に、またはシートの全面に、フロッキングされ転写される画像全体に対応して塗布されている、寸法的に安定なシート８を備えている。
【０００８】
レイヨン又は他のナイロン、ポリエステル又は同様のどんな種類の伝導性仕上げの材料であってもいいフロック１２が、在来の静電的手段、振動、空気流又は重力のような在来の何等かの仕方で活性化された接着剤１０に塗着されている。フロック１２を接着剤１０に塗着する方法は、転写体が１色であるか多色であるかや、転写体が何らかのフロックなし装飾体を備えているか等の、行うべき転写に依存している。
【０００９】
したがって、転写体自身は、フランスのラバール（Ｌａｖａｌ）に所在するソシエテ・デンデュクション・エ・ドゥ・フロッカージュ社が製造しているものなどの、従来のフロック転写体であるレクストラ（Ｌｅｘｔｒａ）転写体や、フロッキング済みロール製品であるレクストラ３Ｄタイプ転写体であっても良い；これらから小片が切出されても良く、さらに、完成後の製品の表面が平面でない場合にはより適切に金型に整合するように予備成形されても良い。
【００１０】
フロック１２の下端は、水を媒質とするラテックス等の、フロックをユニットに結合する恒久的な結合接着剤（バインダーアドヘシブ）１４でコーティングされている。結合剤１４は、成形時の転写体の樹脂への接着を促進するために付加的接着剤を含んでいても良い。
機械的装置が利用できない場合には、フロック転写体２を金型４内部の所定位置に保持することの補助の目的で、比較的弱い感圧接着剤１６を別個の層として担持膜８に追加できる。
【００１１】
図１および図２には、成形工程中での成形品６に対する転写体２の取付けを示してある。転写体２は感圧接着剤１２・を用いて金型４に位置決めされている。真空の利用等の、他の方法を用いて成形操作中に転写体２を金型４の所定位置に保持することもできる。金型本体を貫通する真空孔１８を金型４に示してある。
【００１２】
図から判るように、転写体２は真空孔１８に接触している。真空は孔１８を通して吸引されて転写体２を所定位置に保持することができる。完成された樹脂部品上の所望の位置に転写体を維持するためには、フロック転写体は金型にしっかりと保持される必要がある。フロック転写体を収容するための若干の（約１ｍｍの）落し込みが金型空洞に設けてあれば、それは完成部品の成形樹脂表面と同一平面となるはずである。これは図２を見れば判る。落し込みがない場合には、図１に見られるように、フロック装飾体が樹脂表面の上に乗ることになる。
【００１３】
転写体を金型に位置決めした後、金型が閉じられ、高温の樹脂が金型に注入される。樹脂注入中に転写体を所定位置に確実に係合するために、離型接着剤１６より低い融点を有する樹脂を使用して転写体の位置ずれを防止する。他方で、用いる何らかの離型接着剤の融点が樹脂の融点より高い場合にはフロックが離型接着剤に対して絶縁を行うので、離型接着剤は実際には先づもって溶融しないであろうし、既に架橋されている。
【００１４】
したがって、この点の厳密さはそれほど必要ないかも知れない。特に好適な成形の方法は、２つの素材樹脂（ベースレジン）が金型に注入されるときに混合され、低い熱（温度）で化学反応が起こり、その時点で最終製品の樹脂材が成形されるという反応射出成形（ＲＩＭ：Ｒｅａｃｔｉｏｎ  Ｉｎｊｅｃｔｉｏｎ  Ｍｏｌｄｉｎｇ）である。
【００１５】
別の方法では、第１の段階として低圧力の注入を用いてフロック転写体をその正確な位置に位置決めして固定しても良い。この初期注入の材料によって転写体が所定位置に固定された後、第２の、全（フル）圧力での注入が行われ部品が完成する。
樹脂が金型に注入された後、金型は、金型の外部の周りの循環水で冷却される。樹脂を用いるいくつかの射出成形工程では、従来技術で知られているように、冷却水は既に射出成形工程中からその後にかけてダイスを通って循環されていても良い。
【００１６】
金型は他の何らかの従来法でも冷却することができる。樹脂が冷えるに伴い、これが固化して結合剤１４に対する恒久的接着を形成する。部品が充分に冷却されると金型が開いて部品が排出される。最後に離型シート８および離型接着剤１０が剥がされ、繊維・１２が、新たに成形された部品上に完成したフロック加工された表面として現れる。
【００１７】
上述した本発明に代わる別の例として以下述べるように、フロック１２が別の手段で成形樹脂部品６に保持できると言うことも適当である。フロックを成形部品の中又はその上に保つために恒久的結合接着剤１４を使用すると言うことではなくて、種種の離型シート及び離型接着剤を最初にフロック層の上表面に塗付して、成型の間中フロック層を所定位置に保持することができるのであるが、ボスティック・インコーポレイテッドのようなところから入手できる熱硬化性ポリエステルを使用してフロック材料の端を恒久的にそれにくっつけ、そして同様に、そのようなシートを成形ポリマー部品６と恒久接続させるよう結びつけ（クロスリンクし）て、成形された部品の上に、完成されたとき非常に本質的に現れるフロック表面を提供する、と言うこともできるであろう。
【００１８】
こうして、この熱硬化性高分子材料は射出成形工程において成形高分子物質と直接に架橋し、それと共に固化して恒久的にフロッキングされた製品を形成する。
【００１９】
転写体のフロックが繊維間に空隙を形成するので、金型と転写体の周縁との間に障壁・（バリヤー）を形成して、金型への樹脂の注入中に樹脂がこれらの空隙に侵入することを防止することは望ましい。図３に示すように、障壁４０が転写体４２のまわりに形成されていても良い。障壁４０は、転写体の縁のまわりに余分の結合接着剤１０を供給することによってフロック転写体の製造中に形成できる。余分の結合接着剤１０は転写体の周縁のまわりにリブすなわ堰体・を形成することになる。
【００２０】
あるいは、図４に示すように、転写体が金型に配置された際に転写体５４を囲む障壁５２を金型５０が備えていても良い。障壁５２は金型５０と一体の部分であっても良く、または、シリコーン、ラテックス、その他の適切な封止材料で形成された別個に追加された障壁・であっても良い。
【００２１】
本発明のインモールド（成形物中）フロック転写体は、プラッシュ表面を望まむ表面仕上げ樹脂部品では特別の利用が生じる。
上述の説明にしたがい、成形技術の当業者は種々の変更例を考えるであろう。たとえば、本発明のインモールドフロック転写装飾体は、吹込み成形、真空成形、回転成形、トランスファー成形などのその他の成形工程への適用ができるであろう。表面仕上げされた樹脂部品が平面である必要はなく、フロック転写体の可撓性によって、それが丸くされても良く、その部品の一部が盛り上がっていても良い。これらは例示に過ぎない。
【図面の簡単な説明】
【図１】
フロック転写体が金型（モールド）の中にある物品に取付けられており、その転写体が物品の上に載っている状態の断面図
【図２】
フロック転写体が物品内に埋め込まれている場合の、図１と同様の断面図
【図３】
射出成形キヤビティ（空洞）内のフロック転写体を示す本発明の一実施例の上面図であって、そのフロック転写体は縁体を持つよう作られているもの
【図４】
射出成形金型（モールド）の中にあるフロック転写体を示す本発明の一実施例の上面図であって、そのモールドは縁体を含むもの
【符号の説明】
２      転写体（トランスファー）、フロック転写体
４      金型
６      樹脂物品、成形品、成形樹脂部品、成形ポリマー部品
８      シート、担持膜、離型シート
１０    フロック転写体離型接着剤、 接着剤、離型接着剤
１２    フロック、感圧接着剤、繊維
１４    恒久結合接着剤、結合剤
１６    感圧接着剤、離型接着剤
１８    真空孔
４０    障壁
４２    転写体
５０    金型
５２    障壁
５４    転写体
【図１】
2005503936.tif 000003
【図２】
2005503936.tif 000004
【図３】
2005503936.tif 000005
【図４】
2005503936.tif 000006
【国際公開パンフレット】
2005503936.tif 000007
2005503936.tif 000008
2005503936.tif 000009
2005503936.tif 000010
2005503936.tif 000011
2005503936.tif 000012
2005503936.tif 000013
2005503936.tif 000014
2005503936.tif 000015
2005503936.tif 000016
2005503936.tif 000017
【国際調査報告】
2005503936.tif 000018